【手続補正書】
【提出日】平成21年4月9日(2009.4.9)
【手続補正１】
【補正対象書類名】明細書
【補正対象項目名】発明の名称
【補正方法】変更
【補正の内容】
【発明の名称】ブレ補正装置及び光学装置
【手続補正２】
【補正対象書類名】明細書
【補正対象項目名】特許請求の範囲
【補正方法】変更
【補正の内容】
【特許請求の範囲】
【請求項１】  ブレを補正するように動作するブレ補正光学系と、
前記ブレ補正光学系を電磁的に駆動するブレ補正駆動部とを備え、
前記ブレ補正駆動部は、永久磁石を含み、
前記永久磁石は、一方の面を前記ブレ補正駆動部に使用し、他方の面を電磁的に駆動する他の駆動部に使用すること、を特徴とするブレ補正装置。
【請求項２】  ブレを補正するように動作するブレ補正光学系と、
前記ブレ補正光学系を電磁的に駆動するブレ補正駆動部とを備え、
前記ブレ補正駆動部は、永久磁石を含み、前記永久磁石は、１つのリング状の磁石又は複数の円弧状の磁石により構成させていること、を特徴とするブレ補正装置。
【請求項３】  請求項２に記載のブレ補正装置において、
前記永久磁石は、少なくとも面内２極に分極着磁され、分極点近傍に、電磁的に駆動する他の駆動部に用いられるコイルを配置したこと、を特徴とするブレ補正装置。
【請求項４】  請求項１に記載のブレ補正装置において、
撮影光学系をさらに備え、
前記他の駆動部は、前記撮影光学系の光軸回りに回転して作動する駆動部であること、を特徴とするブレ補正装置。
【請求項５】  請求項１に記載のブレ補正装置において、
前記ブレ補正駆動部は、
前記永久磁石と、
前記永久磁石に固定され、その永久磁石に沿って所定間隔を隔てて形成された突起部を有するヨークと、
前記永久磁石と前記突起部とに跨がり、所定間隔を隔てて配置され、前記ブレ補正光学系と連結された４個のコイルと、を備えたことを特徴とするブレ補正装置。
【請求項６】  請求項５に記載のブレ補正装置において、
前記ブレ補正光学系は、４本の弾性を有する線状部材によって支持されており、
前記線状部材は、少なくとも２本が前記永久磁石の磁極が切り替わる部分の付近に設けられていること、を特徴とするブレ補正装置。
【請求項７】  請求項４に記載のブレ補正装置において、
前記他の駆動部は、前記ブレ補正光学系の動きを制限させるように駆動するロック駆動部であり、
前記ロック駆動部は、
前記ブレ補正光学系の保持枠に設けられた固定用突起部と、
前記固定用突起部よりも、少なくとも前記ブレ補正光学系の可動範囲分だけ大きな切り欠き部をそれぞれ有し、光軸回りに回転する第１及び第２の固定用回転部材と、
前記第１及び第２の固定用回転部材を互いに反対方向に回転させる回転連動部材とを備え、
前記第１又は第２の固定用回転部材に設けられた前記コイルとを備え、前記第１又は第２の固定用回転部材が反対方向に回転して、それぞれの前記切り欠き部が回転方向に相対移動することにより、前記突起部をロック又はロック解除すること、を特徴とするブレ補正装置。
【請求項８】  ブレを補正するように動作するブレ補正光学系と、
前記ブレ補正光学系の動きを制限するロック部材とを備え、
前記ロック部材は、前記ブレ補正光学系の光軸と交差する面内及び光軸方向に動作すること、を特徴とするブレ補正装置。
【請求項９】  請求項８に記載のブレ補正装置において、
前記ロック部材は、前記ブレ補正光学系の光軸中心に回転する動作と、光軸方向に移動する動作を行うこと、を特徴とするブレ補正装置。
【請求項１０】  請求項９に記載のブレ補正装置において、
前記ロック部材を駆動するロック駆動部と、
前記ロック部材を光軸方向に付勢するロック付勢部とを備え、
前記ロック駆動部により前記ロック部材を前記ロック付勢部の付勢力に対抗して光軸方向に駆動し、前記ロック駆動部により前記ロック部材を前記光軸中心に回転させることにより、前記ブレ補正光学系のロック又はロック解除を行うこと、を特徴とするブレ補正装置。
【請求項１１】  請求項１０に記載のブレ補正装置において、
前記ロック駆動部は、
少なくとも面内２極に分極着磁された円弧状の永久磁石と、
前記永久磁石に対向して、その磁極の切り替わり位置の近傍に配置されたロックコイルとを備え、
前記ロックコイルに通電することにより、前記永久磁石に対して回転方向の駆動力を発生すると共に、前記ロックコイルの中心位置が前記磁極の切り替わり位置を境にして、光軸方向の駆動力の向きを変化させること、を特徴とするブレ補正装置。
【請求項１２】  請求項１１に記載のブレ補正装置において、
前記ロック駆動部は、
前記ブレ補正光学系の保持枠に設けられた固定用突起部と、
前記固定用突起部よりも、少なくとも前記ブレ補正光学系の可動範囲分だけ大きな切り欠き部をそれぞれ有し、光軸回りに回転する第１及び第２の固定用回転部材と、前記第１及び第２の固定用回転部材を互いに反対方向に回転させる回転連動部材と、
前記第１又は第２の固定用回転部材に設けられた前記ロックコイルとを備え、
前記第１又は第２の固定用回転部材が反対方向に回転して、それぞれの前記切り欠き部が回転方向に相対移動することにより、前記突起部をロック又はロック解除すること、を特徴とするブレ補正装置。
【請求項１３】  ブレを補正するように動作するブレ補正光学系と、
前記ブレ補正光学系を電磁的に駆動するブレ補正駆動部とを備え、
前記ブレ補正駆動部は、４個のコイルを含み、
前記４個のコイルは、前記ブレ補正光学系の周囲に均等に配置されていること、を特徴とするブレ補正装置。
【請求項１４】  装置のブレを検出し検出信号を出力するブレ検出部と、
前記検出信号を用いて前記装置のブレを補正するように駆動する第１駆動部と、
前記第１駆動部とは異なる駆動をする第２駆動部と、
前記第１駆動部と前記第２駆動部との間に備えられ、前記第１駆動部及び前記第２駆動部に磁力を供給する磁石とを含むことを特徴とするブレ補正装置。
【請求項１５】  請求項１４に記載のブレ補正装置であって、
前記第１駆動部により駆動されるブレ補正光学系を含み、
前記第２駆動部は、前記ブレ補正光学系の動きを制限するように駆動することを特徴とするブレ補正装置。
【請求項１６】  請求項１から請求項１５までの何れか１項に記載されたブレ補正装置を備えたことを特徴とする光学装置。
【手続補正３】
【補正対象書類名】明細書
【補正対象項目名】０００１
【補正方法】変更
【補正の内容】
【０００１】
【発明の属する技術分野】
本発明は、カメラ、交換レンズ、ビデオ、双眼鏡などの光学装置でレンズの一部又は全部を移動させることにより、ブレを補正するブレ補正装置及び光学装置に関するものである。
【手続補正４】
【補正対象書類名】明細書
【補正対象項目名】００１３
【補正方法】変更
【補正の内容】
【００１３】
本発明の目的は、部品点数を削減して、小形化を図ることを可能にするブレ補正装置を提供することである。本発明の他の目的は、大きな衝撃を受けてもロック解除する恐れがなく、信頼性が高く、誤作動が起こりにくいと共に、部品点数が少なく、省スペースが可能なロック機構を有するブレ補正装置及び光学装置を提供することである。
【手続補正５】
【補正対象書類名】明細書
【補正対象項目名】００１９
【補正方法】変更
【補正の内容】
【００１９】
請求項６の発明は、請求項５に記載のブレ補正装置において、前記ブレ補正光学系は、４本の弾性を有する線状部材（１６ａ，１６ｂ，１６ｃ，１６ｄ）によって支持されており、前記線状部材は、少なくとも２本（１６ａ，１６ｃ）が前記永久磁石の磁極が切り替わる部分の付近に設けられていること、を特徴とするブレ補正装置である。
【手続補正６】
【補正対象書類名】明細書
【補正対象項目名】００２０
【補正方法】変更
【補正の内容】
【００２０】
請求項７の発明は、請求項４に記載のブレ補正装置において、前記ロック駆動部は、前記ブレ補正光学系の保持枠に設けられた固定用突起部（１２ａ，１２ｂ，１２ｃ）と、前記固定用突起部よりも、少なくとも前記ブレ補正光学系の可動範囲分だけ大きな切り欠き部（４２ａ，４２ｂ，４２ｃ，４３ａ，４３ｂ，４３ｃ）をそれぞれ有し、光軸回りに回転する第１及び第２の固定用回転部材（４２，４３）と、前記第１及び第２の固定用回転部材を互いに反対方向に回転させる回転連動部材（４５）とを備え、前記第１又は第２の固定用回転部材に設けられた前記コイル（４１ａ，４１ｂ）とを備え、前記第１又は第２の固定用回転部材が反対方向に回転して、それぞれの前記切り欠き部が回転方向に相対移動することにより、前記突起部をロック又はロック解除すること、を特徴とするブレ補正装置である。
【手続補正７】
【補正対象書類名】明細書
【補正対象項目名】００２５
【補正方法】変更
【補正の内容】
【００２５】
請求項１２の発明は、請求項１１に記載のブレ補正装置において、前記ロック駆動部は、前記ブレ補正光学系の保持枠に設けられた固定用突起部と、前記固定用突起部よりも、少なくとも前記ブレ補正光学系の可動範囲分だけ大きな切り欠き部をそれぞれ有し、光軸回りに回転する第１及び第２の固定用回転部材（１４２，１４３）と、前記第１及び第２の固定用回転部材を互いに反対方向に回転させる回転連動部材（１４５）と、前記第１又は第２の固定用回転部材に設けられた前記ロックコイル（１４１ａ，１４１ｂ）とを備え、前記第１又は第２の固定用回転部材が反対方向に回転して、それぞれの前記切り欠き部が回転方向に相対移動することにより、前記突起部をロック又はロック解除すること、を特徴とするブレ補正装置である。
請求項１３の発明は、ブレを補正するように動作するブレ補正光学系（１１１）と、前記ブレ補正光学系を電磁的に駆動するブレ補正駆動部（１３１，１３２３，１１３）とを備え、前記ブレ補正駆動部は、４個のコイル（１１３ａ〜１１３ｄ）を含み、前記４個のコイルは、前記ブレ補正光学系の周囲に均等に配置されていること、を特徴とするブレ補正装置である。
請求項１４の発明は、装置のブレを検出し検出信号を出力するブレ検出部と、前記検出信号を用いて前記装置のブレを補正するように駆動する第１駆動部と、前記第１駆動部とは異なる駆動をする第２駆動部と、前記第１駆動部と前記第２駆動部との間に備えられ、前記第１駆動部及び前記第２駆動部に磁力を供給する磁石とを含むことを特徴とするブレ補正装置である。
請求項１５の発明は、請求項１４に記載のブレ補正装置であって、前記第１駆動部により駆動されるブレ補正光学系を含み、前記第２駆動部は、前記ブレ補正光学系の動きを制限するように駆動することを特徴とするブレ補正装置である。
請求項１６の発明は、請求項１から請求項１５までの何れか１項に記載されたブレ補正装置を備えたことを特徴とする光学装置である。